(57)【要約】【課題】グリップ部の回動を規制できると共に、クラックやヒケが発生するのを抑制できるドライヤを提供する。【解決手段】ドライヤは、吸気口から吸気した空気を加熱して吐出口から吐出する本体部と、本体部に回動自在に取り付けられたグリップ部１００５と、本体部に対してグリップ部１００５の回動を規制する節度構造とを備え、節度構造は、本体部とグリップ部１００５との間に配された第１係合体１０３０と、グリップ部１００５の回動に応じて第１係合体１０３０と係合する第２係合体１５１４Ｂと、第２係合体１５１４Ｂの変形を規制する規制体１０４０とを有する。【選択図】図１６
2020199296.tif 000002
【特許請求の範囲】
【請求項１】
吸気口から吸気した空気を加熱して吐出口から吐出する本体部と、
前記本体部に回動自在に取り付けられたグリップ部と、
前記本体部に対して前記グリップ部の回動を規制する節度構造とを備え、
前記節度構造は、前記本体部と前記グリップ部との間に配された第１係合体と、前記グリップ部の回動に応じて前記第１係合体と係合する第２係合体と、前記第２係合体の変形を規制する規制体とを有する
ドライヤ。
【請求項２】
前記第１係合体は環状であり、
前記第２係合体は、環状であると共に前記第１係合体の内側又は外側に位置し、
前記規制体は、前記第２係合体の径方向であって前記第１係合体が位置する側と反対側に設けられている
請求項１に記載のドライヤ。
【請求項３】
前記第２係合体は、前記第１係合体の外側に位置し、
前記第１係合体は、前記本体部に装着される
請求項１又は２に記載のドライヤ。
【請求項４】
前記第２係合体は、前記第１係合体の内側に位置し、
前記第１係合体は、前記グリップ部に装着される
請求項１又は２に記載のドライヤ。
【請求項５】
前記規制体は、金属材料で構成される
請求項１〜４の何れか１項に記載のドライヤ。
【請求項６】
前記規制体は、前記グリップ部および前記本体部よりも機械特性が同程度か高い材料で構成される
請求項１〜４の何れか１項に記載のドライヤ。
【発明の詳細な説明】
【技術分野】
【０００１】
本発明は、本体部に対してグリップ部が屈曲自在なドライヤに関する。
【背景技術】
【０００２】
本技術分野のドライヤとして、本体部に対してグリップ部が屈曲自在に取り付けられている取付部分(連結部）の耐久性が劣る傾向にある。
特に、ドライヤの使用状態（ハンドルが上下方向に延伸し、開状態ともいう）と、ドライヤの屈曲状態（ハンドルが前後方向に延伸する状態であり、閉状態ともいう）とにおいて、ハンドルがドライヤ本体に対して回動するのをリングによって規制する構造を有するドライヤ（例えば、特許文献１）が提案されている。
【先行技術文献】
【特許文献】
【０００３】
【特許文献１】実願昭６０−１９８５７公報
【発明の概要】
【発明が解決しようとする課題】
【０００４】
上記ドライヤは、ハンドルの回動時にリングが周縁部に加える負荷により回動を規制するため、その負荷が大きいと周縁部にクラックが生じ、負荷が小さいと回動が規制できないという問題がある。
なお、この問題を解決するために、例えば、周縁部を厚くすると、ハンドルにヒケが生じるといった別の問題が生じる。なお、ヒケが出ないように周縁部を薄くすると、クラックが生じてしまう。
【０００５】
本発明は、このような事情に鑑みてなされたものであって、グリップ部の回動を規制できると共に、クラックやヒケが発生するのを抑制できるドライヤを提供することである。
【課題を解決するための手段】
【０００６】
上記課題を解決するために、本発明に係るドライヤは、吸気口から吸気した空気を加熱して吐出口から吐出する本体部と、前記本体部に回動自在に取り付けられたグリップ部と、前記本体部に対して前記グリップ部の回動を規制する節度構造とを備え、前記節度構造は、前記本体部と前記グリップ部との間に配された第１係合体と、前記グリップ部の回動に応じて前記第１係合体と係合する第２係合体と、前記第２係合体の変形を規制する規制体とを有する。
【発明の効果】
【０００７】
本発明によれば、グリップ部の回動を規制できると共に、クラックやヒケが発生するのを抑制できる。
【図面の簡単な説明】
【０００８】
【図１】（ａ）は実施形態に係るドライヤを上方であって左右方向の一方側から見た斜視図であり、（ｂ）は実施形態に係るドライヤを上方であって左右方向の他方側から見た斜視図である。
【図２】ドライヤの断面図であり、（ａ）は左右方向の一方側から見た図であり、（ｂ）は左右方向の他方側から見た図である。
【図３】ドライヤの断面図であり、（ａ）は上方であって左右方向の一方側から見た図であり、（ｂ）は上方であって左右方向の他方側から見た図である。
【図４】本体部からカバー部を取り外した状態の斜視図である。
【図５】駆動モータを取り外した状態の本体部の断面拡大図であり、（ａ）は左右方向の一方側から見た図であり、（ｂ）は左右方向の他方側から見た図である。
【図６】分解状態のカバー部を上方であって左右方向の一方側から見た斜視図である。
【図７】分解状態のカバー部を上方であって左右方向の他方側から見た斜視図である。
【図８】温度測定部の検出範囲を説明する図である。
【図９】制御部のメインのフローチャートである。
【図１０】（ａ）はメイン運転の条件を示すテーブルＴ１であり、（ｂ）はヒートアイ運転の条件を示すテーブルＴ２である。
【図１１】制御部のメイン運転のフローチャートである。
【図１２】制御部のヒートアイ運転のフローチャートである。
【図１３】温度測定部の配置位置を説明する図である。
【図１４】グリップ右ハウジングを外した状態を示す斜視図である。
【図１５】グリップ左ハウジング、規制体、第１係合体を外した状態を示す斜視図である。
【図１６】（ａ）は使用状態の連結部分の断面図であり、（ｂ）は屈曲状態の連結部分の断面図である。
【発明を実施するための形態】
【０００９】
＜概要＞
毛髪用の温度測定部を有するドライヤとして、「ファンにより吸引した空気をヒータにより温風に加熱して吐出するドライヤ本体と、該ドライヤ本体から吐出される温風により加熱される毛髪の温度を、該毛髪から発せられる赤外線をセンサにより感知して検出する毛髪温度検出手段と、該毛髪温度検出手段により検出された毛髪温度が所定温度に達したことを使用者に認識させる毛髪温度認識手段とを具備したことを特徴とするヘアドライヤ」が開示されている（例えば、特開平５−９５８１３公報である）。
上記ドライヤは、ヒータを有する通風路とは別に副通風路を設け、副通風路に基板及び毛髪温度検出手段を設ける構成となっているため、流路を形成する部分の筐体サイズが大きくなってしまうといった問題がある。
このような事情に鑑みてなされたものであって、毛髪用の温度測定部を有するコンパクトなドライヤを提供することを目的とし、第１のドライヤは、吸気口及び吐出口を有する送風流路が形成された本体部と、前記送風流路に配置される送風部と、前記送風流路であって前記送風部より送風方向の下流側に配置される加熱部と、毛髪の温度を測定する温度測定部とを備え、前記温度測定部は前記本体部の側面に設けられている。
第２のドライヤは、第１のドライヤにおいて、前記温度測定部は、前記送風部の送風方向に沿って設けられている。これにより、毛髪の温度を正確に測定できる。
第３のドライヤは、第１又は第２のドライヤにおいて、前記本体部の側面に取り付けられる有底筒状のカバー部を備え、前記温度測定部は、前記本体部と前記カバー部の底部分との間に設けられている。これにより、意匠性を高めることができる。
第４のドライヤは、第３のドライヤにおいて、前記カバー部は、前記温度測定部を収容するための収容部分を有する。これにより、温度測定部をしっかりと固定できる。
第５のドライヤは、第１〜第４の何れかのドライヤにおいて、前記送風部を制御し且つ前記本体部の前記側面に設けられる制御部と、前記制御部と前記温度測定部とが前記本体部の前記側面に形成された貫通孔を介して接続されている。これにより、配線を短くできる。
第６のドライヤは、第１〜第５の何れかのドライヤにおいて、前記温度測定部の測定結果に応じて報知する報知部を備える。これにより、使用者が毛髪の温度を知り易くなる。
第７のドライヤは、第６のドライヤにおいて、前記報知部は、前記本体部の前記側面に設けられている。これにより、制御部又は制御部の近傍に報知手段を設けることができる。
第８のドライヤは、第１〜第７の何れかのドライヤにおいて、前記温度測定部は、前記吐出口側において、前記吐出口の中心位置を通り且つ前記送風方向に沿った仮想線側を向く検出軸を有し、前記仮想線上において、前記吐出口の端部から１０〜２０ｃｍ離れた位置に分布する温度分布領域に対して、前記検出軸を中心とする検出範囲の少なくとも一部が重なる。これにより、実使用における毛髪の温度を測定できる。
第９のドライヤは、第１〜第８の何れかのドライヤにおいて、前記送風部は、駆動部と、該駆動部の出力軸に軸支された遠心ファンとを含む。これにより、ファンの回転音を抑えることができる。
【００１０】
＜実施形態＞
１．ドライヤ
ドライヤＡは、本体部１、送風部２、加熱部３及び温度測定部４を少なくとも備える。ここでのドライヤＡは、グリップ部５、カバー部６Ａ，６Ｂ、制御部７、電源部８等を備えている。
図１〜図３に示すように、本体部１、グリップ部５及びカバー部６Ａ，６Ｂとで、送風部２、加熱部３、制御部７、電源部８を収容する筐体を構成する。
ここで、ドライヤＡについての方向は、特に説明がない場合は、グリップ部５が上下に沿うようにした、つまり、図１の状態を指し、本体部１が延伸する方向を前後方向、グリップ部５が延伸する方向であって前後方向と直交する方向を上下方向とし、前後方向と上下方向とに直交する方向を左右方向とする。
以下、各部について説明する。
【００１１】
２．各部
（１）本体部
本体部１は第１方向に長い長尺状をしている。本体部１は、図２に示すように、吸気口１１（図３参照）と吐出口１２とを有する送風流路１３をケース１０内に有する。送風流路１３には送風部２と加熱部３が配されている。
なお、送風流路１３はケース１０の内に形成され、加熱部３は送風部２の送風方向の下流側に位置する。
ケース１０は、全体として、第１方向（送風方向）に長い矩形状をし、筒状部１４と盤状部１５とを有する。筒状部１４は加熱部３を収容する。盤状部１５は、中空円柱状をし、送風部２を収容する。なお、盤状部１５の中心軸が延伸する厚み方向を第２方向とし、ここでは、第１方向と直交する。
筒状部１４は、一端が盤状部１５に接続され、他端が吐出口１２となっている。なお、筒状部１４の他端には、矩形状の吐出口９１ａ（図１参照）を有し、筒状部１４の筒軸の周りに回転可能にアタッチメント９１が取付けられている。
【００１２】
ここで、盤状部１５の第２方向の両端面側の構成は略同じ構成であるが、一方の端面側、つまり、温度測定部４が存在する側の部材等の符号に「Ａ」を付し、他方の端面側の部材等の符号に「Ｂ」を付して説明する。
盤状部１５の端面は、図３及び図４に示すように、周縁側に位置する環状平坦部分１５１Ａ，１５１Ｂと、環状平坦部分１５１Ａ，１５１Ｂの内側に設けられ且つ盤状部１５の中心軸の外方に突出する有底筒状部分１５２Ａ，１５２Ｂを有する。盤状部１５の一方の端面は、本体部の一方の側面を構成する。
有底筒状部分１５２Ａ，１５２Ｂの周壁領域１５２Ａａ，１５２Ｂａには複数個の貫通孔１５２Ａｂ，１５２Ｂｂが設けられ、本体部１の吸気口１１の一部を構成する。有底筒状部分１５２Ｂの底壁領域１５２Ｂｃには吸気口１１を構成する貫通孔１５２Ｂｄが形成されている。
盤状部１５の環状平坦部分１５１Ａには温度測定部４が配される。
【００１３】
本体部１は、温度測定部４の測定結果に応じて温度状態を報知する報知部１８を収容する。具体的には、報知部１８は制御部７に設けられている。ここでの報知部１８は、図３に示すように、盤状部１５の有底筒状部分１５２Ａの内側に配されたＬＥＤ１８１により構成される。ＬＥＤ１８１は制御基板７１に実装されている。ＬＥＤ１８１は、発光色が異なる複数個（例えば、赤（Ｒ）、緑（Ｇ）、青（Ｂ）の３個である）あり、温度状態により異なる光色（単色、混合色を含める）を出射するように構成されている。
【００１４】
盤状部１５の有底筒状部分１５２Ａは、図４に示すように、内側のＬＥＤ１８１から出射された光が通過するための貫通孔１５２Ａｄを有し、貫通孔１５２Ａｄは透光カバー１８３により外側から覆われている。なお、ＬＥＤ１８１からの光は、カバー部６の有底筒状体６３Ａの貫通孔６３３、透光カバー６５を通過して、外部へと出射される。
盤状部１５の有底筒状部分１５２Ｂは、図４に示すように、内側のＬＥＤ１８１から出射された光が通過するための貫通孔１５２Ａｄを有し、貫通孔１５２Ａｄには透光カバー１８３が外側から嵌合する。なお、ＬＥＤ１８１からの光は、図６に示すように、カバー部６の有底筒状体６３Ａの貫通孔６３３、透光カバー６５を通過して、外部へと出射される。
【００１５】
盤状部１５には、図２に示すように、グリップ部５側に延伸する延伸部分１５６を有し、当該に延伸部分１５６にグリップ部５が取付けられる。
延伸部分１５６の前側にはクールボタン１６が設けられている。クールボタン１６は、押ボタンタイプであり、押している間だけ加熱部３をオフし、送風部２をオンする。これにより、加熱されていない風が本体部１の吐出口１２から吹き出される。
【００１６】
（２）送風部
送風部２は、図３に示すように、駆動モータ２１と、駆動モータ２１の出力軸に取り付けられた遠心ファン２３とを備え、駆動モータ２１が本体部１の盤状部１５の有底筒状部分１５２Ｂにねじ２９（図２の（ａ）参照）により取り付けられている。
【００１７】
（３）加熱部
加熱部３は、図２に示すように、本体部１の送風流路１３内であって送風部２よりも送風方向の下流側に設けられている。加熱部３は、ヒータ３１と、ヒータを実装するヒータ基板３３と、ヒータ３１付きのヒータ基板３３を終了する耐熱パイプ３５とを備え、耐熱パイプ３５が筒状部１４に取り付けられている。
【００１８】
（４）温度測定部
温度測定部４は毛髪乾燥対象者の毛髪の温度を測定する。温度測定部４は、図１に示すように、本体部１の一方の側面（盤状部１５の一方の端面）に設けられている。温度測定部４は送風部２の送風方向に沿って設けられている。温度測定部４は、図４に示すように、本体部１の側面（環状平坦部分１５１Ａ）とカバー部６Ａの底部分（例えば底壁部６３１Ａや透光カバー６５である）との間に設けられている。より具体的には、温度測定部４は、カバー部６Ａの収容部６１２に収容された状態で、カバー部６Ａが本体部１に取り付けられることで、本体部１に装着される。
温度測定部４は、図６及び図７に示すように、温度センサ４１と、温度センサ４１を実装し且つ接続端子４３１が設けられたセンサ用基板４３と、温度センサ４１を保護するセンサカバー４５とを備える。なお、センサ用基板４３とセンサカバー４５とはねじ４７により一体化される。
【００１９】
温度センサ４１は例えば赤外線タイプのセンサである。温度センサ４１の視野角は、１〜３度である。温度センサ４１の検出軸Ｘは、図８に示すように、送風方向の吐出口１２側において、送風方向（仮想線Ｙ）に近づくよう向いている。
つまり、温度センサ４１の検出軸Ｘが、乾燥対象者の毛髪における高温となる領域と交差するように、設けられている。毛髪が高温となる領域は、ドライヤＡの吐出口から送風方向に吐出口から５〜３０ｃｍ、好ましくは１０〜２０ｃｍ離れている。
検出軸Ｘ上に筒状部１４は存在せず、検出軸Ｘは筒状部１４と交差しない。また、第２方向（側方）から見たとき筒状部１４の筒軸の延長線と検出軸Ｘとは交差せず、第３方向（上方）から見たとき筒状部１４の筒軸の延長線と検出軸Ｘとが交差する。なお、筒軸と検出軸Ｘとは交差するようにしてもよい。
より具体的には、温度測定部４は、吐出口１２の中心位置を通り且つ送風方向に沿った仮想線Ｙ上において、吐出口１２の端部（アタッチメント９１）から１０〜２０ｃｍ離れた位置に分布する温度分布領域Ｒに対して、検出軸Ｘを中心とする検出範囲Ｑの少なくとも一部が重なるように、設けられている。
ここでの温度分布領域Ｒは、高温領域Ｒ１、中温領域Ｒ２、低温領域Ｒ３を含む。高温領域Ｒ１は、例えば６８度以上の温度範囲にある領域をいう。中温領域Ｒ２は、例えば６５度以上６８度未満の温度範囲にある領域をいう。低温領域Ｒ３は、例えば５５度以上〜６５度未満の温度範囲にある領域をいう。なお、温度センサ４１の検出結果は制御部７に出力される。
検出範囲Ｑの少なくとも一部が重なる温度分布領域Ｒは高温領域Ｒ１が好ましい。これは、熱により毛髪がダメージを受けるのは高温であるためであり、熱の観点からは中温領域Ｒ２と重なるようにしてもよい。
【００２０】
（５）グリップ部
グリップ部５は、図１に示すように、本体部１から第３方向に延伸し、本体部１に対して屈曲自在に設けられている。第３方向は第１方向と交差する方向である。具体的には、第３方向は、第１方向と第２方向とに直交する方向に対して傾斜する方向である。
グリップ部５は、中空の柱状をし、その一端側が本体部１の延伸部分１５６に取り付けられている。グリップ部５は、第２方向に中央で切断された２つのグリップ体５Ａ，５Ｂから構成され、グリップ体５Ａ，５Ｂのピン部が本体部１の延伸部分１５６のボス孔に嵌合する。これにより、グリップ部５は、第２方向に延伸する仮想軸廻りに回動自在となる。
【００２１】
グリップ部５は前面側にメインスイッチ５３を有する。メインスイッチ５３は、スライドタイプであり、主に、吐出口１２から吐出される吐出風を選択できる。具体的には、クール運転、セット運転、ターボ運転等を切り替えることができる。クール運転とは、加熱部３がオフで送風部２がオンの状態である。セット運転とは、加熱部３がオンで送風部２が弱駆動の状態である。ターボ運転とは、加熱部３がオンで送風部２が強駆動の状態である。なお、メインスイッチ５３の選択情報は制御部７へ出力される。
メインスイッチ５３においてセット運転又はターボ運転が選択されている状態で、クールボタン１６が操作されると、強制的にクール運転（加熱部３がオフ、送風部２がオン）される。
【００２２】
グリップ部５は前面側にヒートアイスイッチ５５を有する。ヒートアイスイッチ５５は、スライドタイプであり、主に、毛髪の温度測定の有効／無効を選択できる。なお、ヒートアイスイッチ５５がオン、つまり、温度測定を有効にした場合、ヒートアイ運転が実行される。なお、ヒートアイ運転及びその制御については後述する。
グリップ部５は内部に電源部８を収容する。グリップ部５は、電源部８の電源基板８１を支持するリブを複数有する。
【００２３】
（６）カバー部
カバー部６Ａ，６Ｂは、図４に示すように、本体部１の盤状部１５の側面に取り付けられる。カバー部６Ａ，６Ｂは近い構造を有するため、カバー部６Ａが示されている図６及び図７を用いて説明する。このため、ここで説明されているが、カバー部６Ｂの符号が図６及び図７に示されていない場合もある。また、共通の構成については、「Ａ」又は「Ｂ」を付していない。
カバー部６Ａ，６Ｂは、リング状体６１Ａ，６１Ｂと、有底筒状体６３Ａ，６３Ｂとを備える。
ここでのカバー部６Ａ，６Ｂは、リング状体６１Ａ，６１Ｂ、有底筒状体６３Ａ，６３Ｂの他、有底筒状体６３Ａ，６３Ｂの底壁部６３１Ａ，６３１Ｂを覆う透光カバー６５と、透光カバー６５と有底筒状体６３Ａ，６３Ｂとの隙間を埋める隙間リング体６７を備える。
【００２４】
（６−１）リング状体
リング状体６１Ａ、６１Ｂは、図６及び図７に示すように、リング部６１１Ａ，６１１Ｂを有する。リング状体６１Ａは、温度測定部４を収容する収容部６１２を有する。つまり、リング状体６１Ａは、リング部６１１Ａと収容部６１２とを一体で有する。なお、リング状体６１Ｂは、図１の（ｂ）に示すように、収容部６１２を有さない、横断面形状が周方向の一体であるリング部６１１Ｂを有する。
リング部６１１Ａ，６１１Ｂは横断面が第２方向の外方に張り出す「Ｖ」字状をしている。リング部６１１Ａ，６１１Ｂには、リング状体６１Ａ，６１Ｂを本体部１の側面に固定するための固定部６１３が設けられている。固定部６１３は、内壁の本体部１側の端縁から延伸して、本体部１の側面の貫通孔１５１ａ（図４参照）に係合する係合片により構成されている。
【００２５】
収容部６１２は、リング部６１１Ａのアタッチメント９１側に形成されている。収容部６１２は、第１方向であって吐出口１２側と本体部１側が開放する。温度測定部４は収容部６１２に本体部１側から挿入されて収容される。なお、収容部６１２に温度測定部４が収容された状態で、リング状体６１Ａが本体部１に装着されることで、温度測定部４が第２方向の両側で支持される。
収容部６１２は、図７に示すように、温度測定部４を第３方向の両側から支持する上壁６１２ａと、下壁６１２ｂと、温度測定部４を第２方向の本体部１と反対側から支持する横壁６１２ｃと、温度測定部４を第１方向の吐出口１２と反対側から支持する裏壁６１２ｄを有する。
上壁６１２ａと下壁６１２ｂには、温度測定部４（センサカバー４５）の上端と下端との突条部分４５１が嵌合する嵌合溝６１２ｅが設けられている。これにより、温度測定部４が収容部６１２に位置決めされる。
【００２６】
（６−２）有底筒状体
有底筒状体６３Ａ，６３Ｂは、図６及び図７に示すように、底壁部６３１Ａ，６３１Ｂと周壁部６３２とを有する。
有底筒状体６３Ａは、報知部１８から出射された光を外部に出射するための貫通孔６３３Ａを底壁部６３１Ａに有している。ここでは、貫通孔６３３Ａは複数個のスリットにより構成されている。有底筒状体６３Ｂは、図３に示すように、吸気口１１を塞がないように貫通孔６３３Ｂを底壁部６３１Ｂに有する。
有底筒状体６３Ａ，６３Ｂは、図６及び図７に示すように、透光カバー６５を固定するための固定部６３４を有する。ここでの固定部６３４は本体部１側に突出するボス部の貫通孔により構成される。透光カバー６５の凸部６５２が貫通孔（６３４）に嵌合する。なお、凸部６５２の貫通孔に本体部１側からピン６３９が圧入される。
【００２７】
有底筒状体６３Ａ，６３Ｂは、吸気口１１に連通するカバー側吸気口６３６を周壁部６３２に有する。カバー側吸気口６３６は、筒軸と平行に延伸するスリット状をし、周方向に沿って複数個ある。
有底筒状体６３Ａ，６３Ｂは、有底筒状体６３Ａ，６３Ｂを本体部１に固定するための固定部６３７を周壁部６３２の開口側の端縁に有する。固定部６３７は周方向に間隔をおいて複数個ある。固定部６３７は、本体部１側に延伸して本体部１の貫通孔１５１ｂ（図４参照）に係合する係合爪により構成される。
【００２８】
（６−３）透光カバー及び隙間リング体
透光カバー６５は透光性樹脂材料により構成されている。ここでの透光カバー６５は、円盤状をし、その中心が第２方向の外方へと膨らむ形状をしている。透光カバー６５の内面、つまり、本体部１側の面に、有底筒状体６３Ａ，６３Ｂに固定される凸部６５２を有する。
隙間リング体６７は、周方向に間隔をおいて有底筒状体６３Ａ，６３Ｂの貫通孔又は凹み６３８に嵌合する凸部６７１を複数個有する。これにより、隙間リング体６７の有底筒状体６３Ａ，６３Ｂに対する回転が規制される。隙間リング体６７の有底筒状体６３Ａ，６３Ｂと反対側には、透光カバー６８の周縁が嵌る段差部６７３（図６参照）を有する。なお、隙間リング体６７は、有底筒状体６３Ａ，６３Ｂに当接する状態で、本体部１側からピン６３９により透光カバー６５が固定されることで、有底筒状体６３Ａ，６３Ｂに固定される。
【００２９】
（７）制御部
制御部７は、図３に示すように、本体部１のカバー部６Ａ側の有底筒状部分１５２Ａの内側に配されている。つまり、制御部７は、温度測定部４に近い部位に配されている。
制御部７は、制御基板７１と、制御基板７１に実装された複数個の電子部品（図示省略）とを備え、制御基板７１がねじ７９により本体部１（盤状部１５の一方の側面）に固定されている。なお、制御基板７１は、本体部１の盤状部１５の一方の側面と対向するように配され、カバー部６Ａ側の面にはＬＥＤ１８１が実装されている。
電子部品は、ＥＥＰＲＯＭ、ＲＡＭ等の記憶部品やマイクロコンピュータ等である。記憶部品は、毛髪乾燥のための各種乾燥コースを行うためのコンピュータプログラムを記憶したり、コンピュータプログラムの実行に用いられる各種パラメータ等を記憶している。パラメータとしては、例えば、図１０のテーブルＴ１、Ｔ２の送風条件等がある。マイクロコンピュータは、記憶部品に記憶されているコンピュータプログラムを実行することにより、各種の乾燥コースに対応して送風部２や加熱部３を制御する。
【００３０】
制御部７は、使用者のクールボタン１６及びメインスイッチ５３の操作にしたがって、送風部２、加熱部３を制御する。
制御部７は、使用者によりクールボタン１６がオンされると、メインスイッチ５３で選択された乾燥コースを実行中であっても、後述のクールコースの実行を優先して行う。なお、クールコースを実行することをクール運転ともいい、メインスイッチ５３で選択された乾燥コースを実行することをメイン運転ともいう。
制御部７は、使用者によりメインスイッチ５３が操作されると、選択されたメイン運転を行う。なお、ここでのメイン運転の一例は、後述のクール運転、セット運転、ターボ運転の３種類である。
制御部７は、使用者によりヒートアイスイッチ５５がオン、つまり、有効にされると、ヒートアイコースを実行する。制御部７は、メイン運転中にヒートアイスイッチ５５がオンされると、ヒートアイコースを優先して実行する。制御部７は、ヒートアイコース中にクールボタン１６がオンされると、クールコースを優先して実行する。なお、ヒートアイコースを実行することをヒートアイ運転ともいう。
【００３１】
ヒートアイコースは、温度測定部４が測定した毛髪乾燥対象者の毛髪の温度に応じた乾燥コースの一つであり、制御部７は、温度測定部４が測定した毛髪温度に応じて送風条件を制御する。具体的には、ヒートアイ運転は、毛髪温度が所定の第１温度（Ｔ１）になるまで高温の風を強風で送風する高温強風運転と、所定の第１温度（Ｔ１）になると中温の風を中風で送風する中温中風運転と、所定の第１温度（Ｔ１）より低い所定の第２温度（Ｔ２）になると低温の風を強風で送風する低温強風運転とを少なくとも含む。
換言すると、ヒートアイ運転は、当初高温強風運転をし、毛髪の温度が所定の第１温度（Ｔ１）に達すると中温中風運転に切り替え、毛髪の温度が所定の第２温度（Ｔ２）まで下がると低温強風運転に切り替える制御である。これにより、乾燥対象の毛髪のダメージを抑えることができる。なお、上記の高温強風運転、中温中風運転及び低温強風運転の３つを行うことでダメージ抑制効果が大きくなる。また、高温強風運転、中温中風運転及び低温強風運転を連続することで毛髪温度にしたがった毛髪の乾燥を自動的に行うこともできる。
送風条件は、送風温度や送風量である。ここでは、送風部２の風量や加熱部３の温度の制御は乾燥コースに対応した風量及び温度のパラメータを電源部８に出力し、電源部８がパラメータに基づいて例えばＰＷＭ制御等により乾燥コースに対応した風量及び温度の電力を送風部２と加熱部３に供給する。
制御部７は、ヒートアイコースの場合、測定した毛髪の温度に対応した光色でＬＥＤ１８１を発光させる。ここでの制御部７は、乾燥コースに対応した電流を例えばＰＷＭ制御等により生成して各ＬＥＤ１８１に供給する。
【００３２】
（８）電源部８
電源部８は、図２に示すように、グリップ部５の内側に配されている。電源部８は、コンセントに接続される電気ケーブル８９と接続される。電源部８は、送風部２、加熱部３、温度測定部４及び制御部７に供給する電力を生成する。なお、送風部２及び加熱部３に供給する電力は制御部７の指示にしたがって例えばＰＷＭ御により生成する。電源部８は、電源回路を構成する複数個の電子部品と、複数個の電子部品を回路構成して実装する電源基板８１と、制御部７等と接続するための接続端子８３とを備える。
電源部８は、メインスイッチ５３とヒートアイスイッチ５５と電気的に接続されている。つまり、メインスイッチ５３とヒートアイスイッチ５５の信号は電源基板８１を介して制御部７に出力される。
なお、電源部８は、グリップ部５を構成するグリップ体５Ａ，５Ｂにより電源基板８１が挟持されることで、取付けられている。
【００３３】
３．配線
図５を用いて説明する。
なお、図５の（ｂ）において、便宜上、ケーブルＫ１，Ｋ２，Ｋ６の重なった部分も１本で示している。
（１）電源部と制御部
制御部７と電源部８とは、同図の（ｂ）に示すように、ケーブルＫ１により接続される。ケーブルＫ１により、制御部７への電力供給が行われるほか、メインスイッチ５３及びヒートアイスイッチ５５の信号が電源部８から制御部７に出力され、各乾燥コースの送風条件が制御部７から電源部８へと出力される。
【００３４】
（２）電源部、加熱部及び送風部
電源部８と加熱部３は、同図の（ｂ）に示すように、ケーブルＫ２により接続される。これにより、加熱部３への電力供給が行われる。
電源部８と送風部２は、同図の（ａ）に示すように、ケーブルＫ３により接続される。これにより、送風部２への電力供給が行われる。なお、同図の（ａ）では、駆動モータの図示は省略している。
なお、加熱部３における吐出口１２側には温度センサが設けられ、当該温度センサの出力結果が、同図の（ｂ）に示すケーブルＫ５を介して制御部７へと出力される。制御部７は、吐出空気の温度が過度に上昇すると、加熱部３への電力供給を停止するように電源部８に指示する。
【００３５】
（３）制御部と温度測定部
制御部７と温度測定部４は、同図の（ｂ）に示すケーブルＫ４により接続される。制御部７と温度測定部４とは盤状部１５の一方の側面を利用して取り付けられ、ケーブルＫ４は側面（環状平坦部分１５１Ａ）の貫通孔１５１ｃを挿通する。
（４）制御部とクールボタン
制御部７とクールボタン１６とは、同図の（ｂ）に示すようにケーブルＫ６により接続される。
（５）その他
本体部１は、上記の電気接続を行うために、例えば立設壁部を利用したスリットや係合溝を備える。スリットや係合溝にはケーブルが嵌る。本体部１は、盤状部１５内に送風部２の遠心ファン２３の回転領域の外周側に区画壁１５７を有する。制御部７と電源部８とを接続するケーブルＫ１、電源部８と加熱部３とを接続するケーブルＫ２、電源部８と送風部２とを接続するケーブルＫ３及び制御部７とクールボタン１６とを接続するケーブルＫ６は、区画壁１５７と盤状部１５の外壁部との間に配される。これにより、ケーブルが遠心ファン２３に巻き込まれることを防止できる。
【００３６】
４．制御内容
（１）メイン制御
制御部７のメインルーチンについて図９を用いて説明する。
制御部７は、クールボタン１６、メインスイッチ５３及びヒートアイスイッチ５５の何れかから入力がある（Ｓ１において「Ｙｅｓ」である）と、その入力がクールボタン１６のオンによる場合（Ｓ２において「Ｙｅｓ」である）、クール運転をクールボタン１６がオフされるまで行い（Ｓ３、Ｓ４における「Ｎｏ」である）、クールボタン１６がオフされる（Ｓ４における「Ｙｅｓ」である）と、ステップＳ１に戻る。
【００３７】
制御部７は、ステップＳ１において、メインスイッチ５３から入力がある場合（Ｓ２において「Ｎｏ」であり、Ｓ５において「Ｙｅｓ」である）、メイン運転を行った（Ｓ６である）後、ステップＳ１に戻る。
制御部７は、ステップＳ１での入力が、クールボタン１６、メインスイッチ５３からでなく（Ｓ２及びＳ５において「Ｎｏ」である）、ヒートアイスイッチ５５による場合、ヒートアイ運転を行った（Ｓ７である）後、ステップＳ１に戻る。
【００３８】
（２）各コースの制御
（２−１）メイン運転（Ｓ６）
メイン運転は、例えば、図１０の（ａ）に示すテーブルＴ１に示すように、クール運転、セット運転及びターボ運転の３種類がある。なお、クールボタン１６のオンによるクール運転は、メイン運転でのクール運転と同じ条件であり、その説明を省略する。
クール運転はヒータ３１が低温（オン）で駆動モータ２１が中風である（低温中風運転）。セット運転はヒータ３１が中温（オン）で駆動モータ２１が弱風である（中温弱風運転）。ターボ運転はヒータ３１が中温（オン）で駆動モータ２１が強風である（中温強風運転）。
風量は、駆動モータ２１が弱風、中風、強風の順で強くなり、駆動モータ２１に供給される電力により制御される。温度は、低温、中温、高温の順で高くなり、ヒータ３１に供給される電力により制御される。
【００３９】
メイン運転について、図１１を用いて説明する。
制御部７は、メインスイッチ５３から、クール運転、セット運転又はターボ運転の選択が入力されると、図１０に示すテーブルＴ１から対応する運転のヒータ３１と駆動モータ２１の条件を読み出し、運転を実施する（Ｓ６１）。具体的には、読み出した条件で運転するように電源部８に指示し、電源部８は指示された条件の電力を送風部２と加熱部３に供給する。
【００４０】
ステップＳ６２において、クールボタン１６がオンされた場合、図１０に示すテーブルＴ１からクール運転のヒータ３１と駆動モータ２１の条件を読み出し、クールボタン１６がオフされるまでクール運転を実施する（Ｓ６２の「Ｙｅｓ」、Ｓ６３、Ｓ６４）。具体的には、読み出した条件で運転するように電源部８に指示し、電源部８は指示された条件の電力を送風部２と加熱部３に供給する。
ステップＳ６２において、クールボタン１６がオンされていない場合（「Ｎｏ」である）、ステップＳ６５において、ヒートアイが有効か否か（ヒートアイスイッチ５５がオンされているか否か）を判定する。
【００４１】
ステップＳ６５において、ヒートアイが有効な場合（「Ｙｅｓ」である）、ヒートアイ運転を実行した（Ｓ６６）後、メインスイッチ５３がオフされていない（Ｓ６７において「Ｎｏ」である）とステップＳ６１に戻って選択された乾燥コースの運転を実施し、メインスイッチ５３がオフされている（Ｓ６７において「Ｙｅｓ」である）とメインルーチンにリターンする。
【００４２】
（２−２）ヒートアイ運転（Ｓ７、Ｓ６６）
メインルーチンのステップＳ７（図９参照）のヒートアイ運転、メイン運転（Ｓ６）中のステップＳ６６（図１１参照）のヒートアイ運転は、基本的に同じフローチャートであり、ここでは、ステップＳ７でのヒートアイ運転について説明する。
ヒートアイ運転は、例えば、図１０の（ｂ）のテーブルＴ２に示すように、高温強風運転、中温中風運転及び低温強風運転の３つの運転を自動的に行う。
高温強風運転は、毛髪を早期に乾燥させるためのものであり、ヒータ３１がオン（高温）で駆動モータ２１が強風で報知部１８の発光色は赤色である。
中温中風運転は、毛髪へのダメージを抑制しつつ乾燥させるものであり、ヒータ３１がオン（中温）で駆動モータ２１が中風で報知部１８の発光色は橙色である。
低温強風運転は、毛髪を空気だけで乾燥させるためのものであり、ヒータ３１がオフ（低温）で駆動モータ２１が強風で報知部１８の発光色は青色である。
【００４３】
ヒートアイ運転時の制御部７について、図１２を用いて説明する。
制御部７は、ヒートアイ運転（Ｓ７）が開始すると、図１０の（ｂ）に示すテーブルＴ２から対応するヒータ３１及び駆動モータ２１の条件並びにＬＥＤ１８１の発光色を読み出し、高温強風運転を実施する（Ｓ７０）。より具体的には、読み出した条件で運転するように電源部８に指示し、電源部８は指示された条件の電力を送風部２及び加熱部３に供給する。なお、ＬＥＤ１８１へは制御部７が供給する。
【００４４】
ステップＳ７１において、温度測定部４が測定した毛髪温度Ｔが第１温度Ｔ１以上であるかを判定し、毛髪温度Ｔが第１温度Ｔ１未満であれば（「Ｎｏ」である）、使用者によりヒートアイを無効にされたか否かを判定する（Ｓ７２）。
無効にされている場合（「Ｙｅｓ」である）、ヒートアイ運転を停止すべくメインルーチンのＳ１に戻り、無効にされていない場合（「Ｎｏ」である）、高温強風運転を継続しつつステップＳ７１に進む。
ステップＳ７１において、毛髪温度Ｔが第１温度Ｔ１以上であれば（「Ｙｅｓ」である）、テーブルＴ２から対応するヒータ３１及び駆動モータ２１の条件並びにＬＥＤ１８１の発光色を読み出し、中温中風運転を実施して（Ｓ７３）、ステップＳ７４に進む。
【００４５】
ステップＳ７４において、温度測定部４が測定した毛髪温度Ｔが第２温度Ｔ２以上であるかを判定し、毛髪温度Ｔが第２温度Ｔ２未満であれば（「Ｎｏ」である）、使用者によりヒートアイを無効にされたか否かを判定する（Ｓ７５）。
無効にされている場合（「Ｙｅｓ」である）、ヒートアイ運転を停止すべくメインルーチンのＳ１に戻り、無効にされていない場合（「Ｎｏ」である）、中温中風運転を継続しつつステップＳ７４に進む。
ステップＳ７４において、毛髪温度Ｔが第２温度Ｔ２以上であれば（「Ｙｅｓ」である）、テーブルＴ２から対応するヒータ３１及び駆動モータ２１の条件並びにＬＥＤ１８１の発光色を読み出し、低温強風運転を実施して（Ｓ７６）、ステップＳ７７に進む。
【００４６】
ステップＳ７７において、温度測定部４が測定した毛髪温度Ｔが第３温度Ｔ３以下であるかを判定し、毛髪温度Ｔが第３温度Ｔ３より高いと（「Ｎｏ」である）、使用者によりヒートアイを無効にされたか否かを判定する（Ｓ７８）。
無効にされている場合（「Ｙｅｓ」である）、ヒートアイ運転を停止すべくメインルーチンのＳ１に戻り、無効にされていない場合（「Ｎｏ」である）、低温強風運転を継続しつつステップＳ７７に進む。
ステップＳ７７において、毛髪温度Ｔが第３温度Ｔ３以下であれば（「Ｙｅｓ」である）、ヒートアイ運転のすべての工程が終了し、メインルーチンのステップＳ１に進む。
なお、ステップＳ６６でのヒートアイ運転の場合、図１２において、ステップＳ７２、Ｓ７５、Ｓ７８でヒートアイが無効にされているときに、ステップＳ１でなく、ステップＳ６７に進む。
なお、一例としての第１温度Ｔ１は３６度であり、第２温度Ｔ２は４０度であり、第３温度Ｔ３は３１度であるが、送風部２及び加熱部３の性能に合わせて適宜変更してもよい。
【００４７】
５．温度測定部の位置
温度測定部４の位置について図１３を用いて説明する。同図の（ａ）はアタッチメントが装着されていない状態で、（ｂ）はアタッチメントが装着されている状態である。
図１３は、吐出口の中心位置を通り且つ送風方向に沿った仮想線Ｙ（図８参照）上において、吐出口の端部から１０〜２０ｃｍ離れた位置に分布する高温領域と検出軸Ｘ（図８参照）とが同じ位置Ｓ１で重なるように、温度測定部を設けた図である。
【００４８】
（１）本体部上面
温度測定部４Ａを本体部１の上面に設ける場合、筒状部１４の影響で本体部１から上方に離れた位置となり、意匠的に劣るものとなり、さらに、本体部１から張り出し量が大きくなり、損傷しやすい。また、制御部７との距離が長くなり、配線も長くなる。
【００４９】
（２）グリップ部周辺
温度測定部４Ｂをグリップ部５の本体部１側に設ける場合、グリップ部５に埋設できるため、意匠性に優れたものとなり、損傷し難い。しかしながら、グリップ部５を使用者が把持した際に、温度測定部４Ｂの前方が指で塞がれるおそれがある。また、グリップ部５は本体部１に対して屈曲（回転）可能であるため、屈曲状態が不十分な場合、検出軸がずれてしまい、正確な温度測定ができない可能性もある。
また、図示していないが、本体部１とグリップ部５との結合部分に温度測定部を設ける場合、意匠性に優れ、損傷し難く、使用者の指で温度測定部が塞がれるおそれも少ない。しかしながら、結合部分には、回動自在とするための構造（グリップ体５Ａ，５Ｂのピン部や本体部１の延伸部分１５６のボス孔）があり、配線等が難しい。
【００５０】
（３）筒状部
図示していないが、加熱部３を収容する筒状部１４の先端部分に温度測定部を設けると、筒状部１４から径方向に張り出す状態となるため意匠性が劣るものとなる。また、加熱部３の内部又は加熱部３の周辺部に配線する必要があり、耐熱用のケーブルが必要となる。また、吐出風による温度の影響を受けやすい傾向にある。
【００５１】
（４）本体部側面
温度測定部４は、本体部１の側面に設けられている。これにより、意匠性に優れ、温度の影響や使用者の指の影響を受けることがない。また、本体部１の側面は幅方向の外方に有底筒状に張り出している。温度測定部４は、その周壁を利用して設けられているため、損傷するおそれもなく、張出部分を利用しているため意匠性に特に優れている。
【００５２】
＜その他＞
ドライヤは、本体部に対してグリップ部が屈曲自在に取り付けられている取付部分(連結部）の耐久性が劣る傾向にある。
特に、ドライヤの使用状態（ハンドルが上下方向に延伸し、開状態ともいう）と、ドライヤの屈曲状態（ハンドルが前後方向に延伸する状態であり、閉状態ともいう）とにおいて、ハンドルがドライヤ本体に対して回動するのをリングによって規制する構造を有するドライヤ（例えば、実願昭６０−１９８５７公報）が提案されているが、その構造には以下のような課題がある。
つまり、ハンドルの回動時にリングが周縁部に加える負荷により回動を規制するため、その負荷が大きいと周縁部にクラックが生じ、負荷が小さいと回動が規制できないという問題がある。この問題を解決するために、例えば、周縁部を厚くすると、ハンドルにヒケが生じるといった別の問題が生じる。なお、ヒケが出ないように周縁部を薄くすると、クラックが生じてしまう。
以下、グリップ部の回動を規制できると共に、クラックやヒケが発生するのを抑制できる節度構造を有するドライヤを説明する。なお、実施形態と同じ構造・構成については、図面に現れていなくても同じ符号を用いる。
【００５３】
１．概略
ドライヤは、吸気口から吸気した空気を加熱して吐出口から吐出する本体部と、本体部に回動自在に取り付けられたグリップ部と、本体部に対してグリップ部の回動（屈曲）を規制する節度構造とを有する。
節度構造は、本体部とグリップ部との間に配された第１係合体と、グリップ部の回動に応じて第１係合体と係合する第２係合体と、第２係合体が変形するのを規制する規制体とを備える。
ドライヤにおいて、第１係合体は環状をし、第２係合体は、環状をすると共に第１係合体の内側又は外側に位置し、規制体は、第２係合体の径方向であって第１係合体が位置する側と反対側に設けられている。
【００５４】
２．実施形態
ドライヤＢは、図１４及び図１５に示すように、本体部１００１、グリップ部１００５、節度構造を有する。ここで、グリップ部が本体部に対して回動する回動軸を、単に回動軸や回転軸という。
節度構造において、第１係合体１０３０は環状をし、第２係合体１５１４Ｂは第１係合体１０３０の外側に位置して環状をし、規制体１０４０は、第２係合体１５１４Ｂの径方向の外側に配され、第２係合体１５１４Ｂの外周面部分に当接するように設けられている。
ここでは、本体部１００１を構成する本体ハウジング１００２の連結部１０２１に第１係合体１０３０が設けられ、グリップ部５を構成するグリップハウジング１０５１（１０５１Ａ、１０５１Ｂ）に第２係合体１５１４が設けられる。
本体ハウジング１００２とグリップハウジング１０５１は、難燃性樹脂により構成されている。難燃性樹脂としては、例えば、ＡＢＳ樹脂に、水酸化アルミニウムや水酸化マグネシウム等の金属水和物混合させた樹脂等がある。
【００５５】
３．各部構成
（１）連結部
主に図１４及び図１５を用いて説明する。
連結部１０２１は、盤状部１５からグリップ部１００５側に延伸している。なお、連結部１０２１は、実施形態の延伸部分１５６に相当し、本体部１００１を構成する本体ハウジング１００２に設けられている。
本体ハウジング１００２は、本体右ハウジング１００２Ａと、本体左ハウジング１００２Ｂとからなる。このため、連結部１０２１は、本体右ハウジング１００２Ａ側の右連結部１０２１Ａと、本体左ハウジング１００２Ｂ側の左連結部１０２１Ｂとからなる。ここでは、ドライヤＢの吐出口１２を真正面にドライヤＢを見た状態で、向かって右側を「右」としている。
【００５６】
主に図１４を用いて説明する。
右連結部１０２１Ａには、グリップ部１００５を構成するグリップハウジング１０５１のグリップ右ハウジング１０５１Ａが取り付けられる。
右連結部１０２１Ａは、平坦部分１２１１Ａと、平坦部分１２１１Ａの中央に形成され且つ左右方向に延伸する中空状のボス部分１２１２Ａと、平坦部分１２１１Ａにおけるボス部分１２１２Ａの周辺に形成され且つグリップ右ハウジング１０５１Ａ側に突出する２個の突起部分１２１３Ａとを有する。
【００５７】
主に図１５を用いて説明する。
左連結部１０２１Ｂには、グリップ部１００５を構成するグリップハウジング１０５１のグリップ左ハウジング１０５１Ｂが取り付けられる。
左連結部１０２１Ｂは、平坦部分１２１１Ｂと、平坦部分１２１１Ｂの中央に形成され且つグリップ左ハウジング１０５１Ｂに向かって楕円状に延伸する軸支部分１２１２Ｂと、軸支部分１２１２Ｂに軸方向（左右方向）に沿って形成された溝部分１２１３Ｂと、平坦部分１２１１Ｂの外縁側に形成され且つグリップ左ハウジング１０５１Ｂに向かって延伸する延伸部分１２１４Ｂとを有する。
平坦部分１２１１Ｂにおける軸支部分１２１２Ｂの内側は貫通孔となっている。平坦部分１２１１Ｂであって軸支部分１２１２Ｂの溝部分１２１３Ｂに対応する部分は貫通孔又は凹みとなっている。
延伸部分１２１４Ｂは周方向に連続する円環状に延伸している。延伸部分１２１４Ｂは軸支部分１２１２Ｂに対して径方向に離間しており、延伸部分１２１４Ｂと軸支部分１２１２Ｂとの間に第１係合体１０３０と第２係合体１５１４Ｂと規制体１０４０とが位置する。なお、延伸部分１２１４Ｂは、規制体１０４０に近接又は当接している。これにより、規制体１０４０のグリップ左ハウジング１０５１Ｂの平坦部分１２１１Ｂに容易に配置することができる。なお、延伸部分１２１４Ｂは周方向に不連続な環状（周方向に隙間が存在する環状）であってもよい。
【００５８】
（２）第１係合体
図１５を用いて説明する。
第１係合体１０３０は、円環状をしている。換言すると、第１係合体１０３０は、筒軸方向の寸法が小さい円筒状をしている。第１係合体１０３０は、円環状の本体部１０３１と、左連結部１０２１Ｂの軸支部分１２１２Ｂの溝部分１２１３Ｂに嵌合する嵌合部１０３２と、グリップ左ハウジング１０５１Ｂの第２係合体１５１４Ｂに係合する第１係合部１０３３とを有する。
第１係合体１０３０はその筒軸が回動軸と一致するように左連結部１０２１Ｂに装着される。
第１係合体１０３０は樹脂材料により構成されている。樹脂は、本体ハウジング１００２やグリップハウジング１０５１を主に構成している樹脂材料であって、金属水和物を含まない又は本体ハウジング１００２やグリップハウジング１０５１より金属水和物の含有量が少ない材料であり、例えば、ＰＯＭ等がある。
【００５９】
嵌合部１０３２は、本体部１０３１の内周面であって、筒軸を挟んで対向する部位から径方向の内方へ突出する。嵌合部１０３２は、筒軸方向に沿って設けられ、その左連結部１０２１Ｂ側が本体部１０３１を超えて延出する。これにより、嵌合部１０３２は、軸支部分１２１２Ｂの溝部分１２１３Ｂと平坦部分１２１１Ｂの貫通孔とに嵌合する。これにより、第１係合体１０３０は連結部１０２１に着脱可能に装着される。
【００６０】
第１係合部１０３３は、径方向の外方へと突出する第１突起部分により構成され、第１突起部分は周方向に間隔をおいて２個ある。なお、第１突起部分も符号１０３３とする。
第１突起部分１０３３は、本体部１０３１の外周面であって筒軸を挟んで対向する部位から突出する。第１突起部分１０３３は筒軸方向に沿って設けられている。第１突起部分１０３３は２個あり、２個の第１突起部分１０３３を結ぶ仮想線は２個の嵌合部１０３２を結ぶ仮想線と直交する。
左連結部１０２１Ｂの溝部分１２１３Ｂは、楕円状の軸支部分１２１２Ｂの長軸上に位置しているため、本体部１０３１の内周面は軸支部分１２１２Ｂの外周面と短軸上とその周辺部分で離間する。つまり、第１係合体１０３０は、軸支部分１２１２Ｂとの間に隙間を有する状態で、左連結部１０２１Ｂに装着されている。これにより、第２係合体１５１４の第２突起部分１５１７Ｂが第１突起部分１０３３を乗り越える時に、本体部１０３１が径方向の内側へと弾性変形可能となる。
【００６１】
（３）グリップ部
（３−１）グリップ右ハウジング
図１４を用いて説明する。
グリップ右ハウジング１０５１Ａは、円筒状に延伸して右連結部１０２１Ａのボス部分１２１２Ａに回動可能に嵌合する円筒ボス部１５１１Ａと、円筒ボス部１５１１Ａの外周側に形成され且つ右連結部１０２１Ａの平坦部分１２１１Ａに当接する円環状部１５１２Ａと、円環状部１５１２Ａから周方向に間隔をおいて径方向に延伸する２つのリブ部１５１３Ａとを有する。
円筒ボス部１５１１Ａは、右連結部１０２１Ａに嵌合し、グリップ左ハウジング１０５１Ｂ側から挿入されるねじ１０４５（図１５参照）と螺合するねじ部を内周面に有する。
２つのリブ部１５１３Ａは、グリップ部１００５の回動の際に右連結部１０２１Ａの突起部分１２１３Ａに当接する。これにより、使用時にグリップ部１００５がさらに開く方向に回動するのを規制し、屈曲時にグリップ部１００５がさらに閉じる方向に回動するのを規制する。
【００６２】
（３−２）グリップ左ハウジング
図１５を用いて説明する。
グリップ左ハウジング１０５１Ｂは、先細りの段付き円筒状に延伸する円筒ボス部１５１０Ｂを有している。先端側の小径筒部分１５１１Ｂは左連結部１０２１Ｂの軸支部分１２１２Ｂに嵌合し、大径筒部分１５１２Ｂの端面（段差部分）は軸支部分１２１２Ｂの端面に当接する。なお、円筒ボス部１５１０Ｂの内部空間はねじ１０４５が挿通する。
グリップ左ハウジング１０５１Ｂは、大径筒部分１５１２Ｂの外周から径方向に延伸するリブ部１５１３Ｂを有している。リブ部１５１３Ｂは周方向に間隔をおいて複数個形成されている。リブ部１５１３Ｂは左連結部１０２１Ｂに装着されている第１係合体１０３０の端面に当接又は近接する。これにより、第１係合体１０３０は左右方向に位置決めされる。
【００６３】
グリップ左ハウジング１０５１Ｂは、円筒ボス部１５１０Ｂの外周側に間隔を置いて形成された環状の第２係合体１５１４Ｂを有している。ここでの第２係合体１５１４Ｂはグリップ左ハウジング１０５１Ｂに一体に形成されている。
第２係合体１５１４Ｂは、円環状（円筒状）部１５１５Ｂと、円環状部１５１５Ｂに形成され且つ第１係合体１０３０の第１係合部１０３３に係合する第２係合部１５１６Ｂとを有する。
第２係合部１５１６Ｂは、第１突起部分１０３３の数に対応して設けられ、ここでは、２個の第１突起部分１０３３に対応して２個ある。１個の第２係合部１５１６Ｂは、径方向に突出する２個の第２突起部分１５１７Ｂを、第１突起部分１０３３を収容できる間隔をあけて周方向に有する。第２突起部分１５１７Ｂは、径方向の内方（第１係合体１０３０側）に向かって突出し、円環状部１５１５Ｂの内周面に形成されている。
第２係合体１５１４Ｂは、必須の構成ではないが２個の第２係合部１５１６Ｂ間であって円環状部１５１５Ｂの外周面に凹入部１５１８Ｂを有している。
【００６４】
（４）規制体
規制体１０４０は、図１５に示すように、円環状をしている。規制体１０４０は、本体ハウジング１００２やグリップハウジング１０５１を構成している材料よりも機械特性が高い材料、例えば、金属により構成されていることが好ましいが、本体ハウジング１００２またはグリップハウジング１０５１を構成している材料と同程度の機械特性を有する材料であってもよい。
規制体１０４０は、グリップ左ハウジング１０５１Ｂの円環状の第２係合体１５１４Ｂに嵌合する（覆う）状態で、左連結部１０２１Ｂの延伸部分１２１４Ｂの内側に配される。なお、嵌合した状態では、規制体１０４０は、周方向に隣接する２個の第２係合部１５１６Ｂ間の領域（つまり、凹入部１５１８Ｂ）の外周面と離間する状態で、設けられている。これにより、円環状部１５１５Ｂに嵌合する規制体１０４０として金属材料を用いても、使用時の熱応力を緩和できる。
【００６５】
４．使用方法
グリップ部１００５の屈曲による第１係合体１０３０と第２係合体１５１４Ｂとの係合状態について図１６を用いて説明する。
説明の便宜上、図１６において、第１係合体１０３０の上部側に位置する第１突起部分１０３３を第１上突起部分１０３３ａとし、下部側に位置する第１突起部分１０３３を第１下突起部分１０３３ｂとする。
第２係合体１５１４Ｂの上部側に位置する第２係合部１５１６Ｂを第２上係合部とし、時計回り側に位置する突起部分を第２上正突起部分１５１７ａとし、反時計回り側に位置する突起部分を第２上逆突起部分１５１７ｂとする。同様に、第２係合体１５１４Ｂの下部側に位置する第２係合部１５１６Ｂを第２下係合部とし、時計回り側に位置する突起部分を第２下正突起部分１５１７ｃとし、反時計回り側に位置する突起部分を第２下逆突起部分１５１７ｄとする。第２上正突起部分１５１７ａと第２下正突起部分１５１７ｃとは回転軸を通る一直線上に位置し、第２上逆突起部分１５１７ｂと第２下逆突起部分１５１７ｄとは回転軸を通る一直線上に位置する。
【００６６】
（１）使用状態（開状態）
ドライヤＢのグリップ部１００５が、図１６の（ａ）に示すように、上下方向に沿う状態が使用状態である。
Ｘ２方向の回転は、さらにグリップ部１００５が本体部１００１に対して開く（離れる）方向の回転であり、図１４のグリップ右ハウジング１０５１Ａのリブ部１５１３Ａが右連結部１０２１Ａの突起部分１２１３Ａに当接して回転規制される。
Ｘ１方向の回転は、グリップ部１００５が本体部１００１に対して閉じる（近づく）方向の回転であり、図１６の（ａ）に示すように、第１係合体１０３０の第１上突起部分１０３３ａには第２係合体１５１４Ｂの第２上正突起部分１５１７ａが係合し、第１下突起部分１０３３ｂには第２下正突起部分１５１７ｃが係合して回転規制される。
【００６７】
（２）使用状態から回転
使用状態からグリップ部１００５を本体部１００１に近づくように回転させるには、図１６の（ａ）において、グリップ部１００５をＸ１方向に回転させる。
グリップ部１００５をＸ１方向に回転させようとすると、上記の「（１）使用状態（開状態）」で説明したように、第２係合体１５１４Ｂと第１係合体１０３０とが係合するが、さらに回転させると、第２係合体１５１４Ｂの第２上正突起部分１５１７ａが第１係合体１０３０の第１上突起部分１０３３ａを乗り越え、第２係合体１５１４Ｂの第２下正突起部分１５１７ｃが第１係合体１０３０の第１下突起部分１０３３ｂを乗り越える。
この際、第２係合体１５１４Ｂの第２上正突起部分１５１７ａと第２下正突起部分１５１７ｃとを径方向の外方へと広げる負荷が作用するが、第２係合体１５１４Ｂの外周には規制体１０４０が配されているため、第２係合体１５１４Ｂの径方向の外方への変形が規制される。
【００６８】
グリップ部１００５をさらにＸ１方向に回転させると、第２係合体１５１４Ｂの第２上逆突起部分１５１７ｂが第１係合体１０３０の第１上突起部分１０３３ａを乗り越え、第２下逆突起部分１５１７ｄが第１下突起部分１０３３ｂを乗り越える。
この際も、規制体１０４０によって第２係合体１５１４Ｂの径方向の外方への変形が規制される。
このように、第２係合体１５１４Ｂの変形が規制されるため、第２係合体１５１４Ｂの破損を防止できる。また、第２係合体１５１４Ｂの円環状部１５１５Ｂを、規制体１０４０を備えない場合よりも薄くでき、ヒケの発生を防ぐことができる。
【００６９】
（３）屈曲状態（閉状態）
ドライヤＢのグリップ部１００５が、図１６の（ｂ）に示すように、前後方向に沿う状態が屈曲状態である。
Ｘ１方向の回転は、さらにグリップ部１００５が本体部１００１に対して閉じる（近づく）方向の回転であり、図１４のグリップ右ハウジング１０５１Ａのリブ部１５１３Ａが右連結部１０２１Ａの突起部分１２１３Ａに当接して回転規制される。
Ｘ２方向の回転は、グリップ部１００５が本体部１００１に対して開く（離れる）方向の回転であり、図１６の（ｂ）に示すように、第１係合体１０３０の第１上突起部分１０３３ａには第２係合体１５１４Ｂの第２上逆突起部分１５１７ｂが係合し、第１下突起部分１０３３ｂには第２下逆突起部分１５１７ｄが係合して回転規制される。
【００７０】
（４）屈曲状態から回転
屈曲状態からグリップ部１００５を本体部１００１から離れるように回転させるには、図１６の（ｂ）において、グリップ部１００５をＸ２方向に回転させる。
この際も、第２係合体１５１４Ｂの第２上逆突起部分１５１７ｂや第２上正突起部分１５１７ａが第１係合体１０３０の第１上突起部分１０３３ａを乗り越え、第２係合体１５１４Ｂの第２下逆突起部分１５１７ｄや第２下正突起部分１５１７ｃが第１係合体１０３０の第１下突起部分１０３３ｂを乗り越えるが、第２係合体１５１４Ｂの外周には規制体１０４０が配されているため、第２係合体１５１４Ｂの径方向の外方への変形が規制される。
【００７１】
５．その他
（１）第１係合体
図１４〜図１６の第１係合体１０３０は、グリップハウジング１０５１に回転しない状態で固定されればよく、その固定方法は特に限定するものではない。
第１係合体１０３０は、第１係合部１０３３を２個有していたが、１個又は３個以上でもあってもよい。１個の場合、例えば第１係合体の全体の形状を半円状としてもよい。
(２）第２係合体
第２係合体１５１４Ｂは、第２係合部１５１６Ｂを２箇所で有していたが、１箇所又は３箇所以上でもあってもよい。１箇所の場合、例えば第２係合部の全体の形状を半円状としてもよい。
第２係合体１５１４Ｂは、グリップハウジング１０５１に一体で形成されていたが、グリップハウジングや本体ハウジングと別体で構成して、グリップハウジングや本体ハウジングに装着してもよい。
【００７２】
（３）第１係合体と第２係合体
第１係合体１０３０は左連結部１０２１Ｂに、第２係合体１５１４Ｂはグリップ左ハウジング１０５１Ｂにそれぞれ設けられていたが、第１係合体１０３０は右連結部１０２１Ａに、第２係合体１５１４はグリップ右ハウジング１０５１Ａにそれぞれ設けてもよい。
第１係合体１０３０は、第２係合体１５１４Ｂの内側に配されていたが、第２係合体の外側に配されてもよい。この場合、第１係合体の第１突起部分は径方向の内方側に突出し、第２係合体の第２突起部分は径方向の外方側に突出する。この場合、規制体は内側に配された第２係合体の内周面に当接又は近接するように設ければよい。
第１係合体と第２係合体は、本体ハウジングやグリップハウジングの形状により設ける位置等が変更可能であるが、本体ハウジングやグリップハウジングにおいて回転軸と直交する部位に適宜設けられる。
例えば、第２係合体１５１４Ｂは、グリップハウジング１０５１に一体で形成されていたが、第２係合体１５１４Ｂに代えて第２係合体２５１４Ｂを、本体ハウジング１００２の連結部１０２１に一体に形成し、第１係合体１０３０をグリップハウジング１０５１に着脱可能に装着させてもよい。そして、グリップハウジング１０５１には、２つの嵌合部１０３２それぞれが嵌る孔部１５１３Ｃを設けるようにすればよい。なお、第２係合体２５１４Ｂや孔部１５１３Ｃは、図示していないが、他の例の第２係合体１５１４Ｂや溝部分１２１３Ｂに連続する孔部と区別するために便宜上符号を付している。
また、第１係合体１０３０に代えて第１係合体２０３０をグリップハウジング１０５１に着脱可能に装着させてもよい。第１係合体２０３０が第１係合体１０３０と異なる点は、２つの嵌合部１０３２に代えて、第１係合体２０３０の軸方向の端部から軸方向の同じ方向に延びる２つの嵌合部２０３２を有する点である。この場合、グリップハウジング１０５１には、２つの嵌合部２０３２それぞれが嵌る孔部１５１３Ｄを設けるようにすればよい。なお、第１係合体２０３０や孔部１５１３Ｄは、図示していないが、他の例の第１係合体１０３０や溝部分１２１３Ｂに連続する孔部と区別するために便宜上符号を付している。
【００７３】
以上、実施形態を説明したが、この実施形態に限られるものではなく、例えば、以下のような変形例であってもよい。また、実施形態と変形例、変形例同士を組み合わせたものであってもよい。
また、実施形態や変形例に記載していていない例や、要旨を逸脱しない範囲の設計変更があっても本発明に含まれる。
【００７４】
＜変形例＞
１．温度測定部
温度測定部４は、本体部１の一方の側面に設けられているが、他方の側面に設けられてもよい。但し、配線を考慮すると、制御部又は電源部に近い部位が好ましい。
温度測定部４は、１個設けられているが、複数個設けられてもよい。２個の場合、本体部の第２方向の両側面に設けてもよいし、本体部の一方の側面に第３方向に並設するようにしてもよい。また、複数個設ける場合、センサの対象位置（検出範囲）を同じにしてもよいし、異なるようにしてもよい。同じ場合は測定結果の精度を高めることができる。異なる場合は広い範囲の温度を測定でき、実使用に近い温度測定ができる。
温度測定部４の温度センサ４１は赤外線タイプを使用したが、他のタイプをしてもよい。
【００７５】
２．カバー部
カバー部６Ａは、リング状体６１Ａに収容部６１２を備えているが、例えば、リング状体と有底筒状体とに跨るように収容部を備えてもよいし、有底筒状体に備えてもよいし、収容部用の別部材を備えてもよい。
カバー部６Ａは、リング状体６１Ａと有底筒状体６３Ａとを別体で備えていたが、一体で備えてもよい。
カバー部６Ａとカバー部６Ｂとは似た構成をしているが、異なる構成としてもよい。但し、部品の共通化の観点からは、似た構成の方が好ましい。
本体部１は、他方の側面にカバー部６Ｂを備えているが、カバー部６Ｂを備えない構造としてもよい。
【００７６】
３．報知部
報知部１８は、光により毛髪温度を報知しているが、光以外を利用して報知してもよい。光以外としては、例えば、音（ブザー音、音楽等）、表示（数字、文字）、インジケータ等がある。
報知部１８は、異なる発光色で毛髪温度を報知しているが、例えば、点滅、点灯等で毛髪温度を報知してもよいし、複数個のＬＥＤの点灯位置を変化させて報知してもよい。
【００７７】
４．スイッチ
クールボタン１６、メインスイッチ５３及びヒートアイスイッチ５５の合計３個で送風条件の異なる乾燥コースを選択している。しかしながら、１個又は２個のスライドスイッチにより選択してもよいし、４個以上のスイッチにより選択するようにしてもよい。なお、スイッチは、スライドタイプ、押しボタンタイプ、ダイヤルタイプ等特に限定するものではない。
クールボタン１６は本体部１の延伸部分１５６の吐出口側に、メインスイッチ５３及びヒートアイスイッチ５５はグリップ部５の吐出口側（前側）に設けられているが、例えば、３個のスイッチがグリップ部の吐出口側に設けてもよいし、グリップ部の側面に設けてもよいし、グリップ部の裏面側に設けてもよいし、他の部位に設けてもよく、例えば３個のスイッチ全てを異なる部位に設けても良い。
【００７８】
５．制御部
制御部７は、本体部１における吸気口１１が形成される側面に設けられている。しかしながら、制御部は他の部位に設けられてもよい。但し、電子部品等への熱負荷を考慮すると、吸気口１１から吸気され且つ加熱部により加熱されていない空気が通過する部位に設けることが好ましい。
制御部７は、電源部８と別に設けられているが、一体であってもよい。また、制御部７は、１枚の制御基板７１を有しているが、本体部の吸気口が設けられている２つ側面に設けるようにしてもよい。
【００７９】
６．乾燥コース
乾燥コースは、クールコース（クール運転）、セットコース（セット運転）、ターボコース（ターボ運転）及びヒートアイコース（ヒートアイ運転）を含んでいるが、他のコースを含んでもよい。
実施形態のクール運転、セット運転及びターボ運転の温度、風量は一例であり、他の温度や風量であってもよい。
例えば、クール運転は低温で中風〜強風であってもよいし、セット運転の温度は中温〜高温であって弱風〜中風であってもよいし、ターボ運転の温度は中温〜高温であってもよい。なお、言うまでもなく、ドライヤの吐出風の温度を低温、中温、高温の３分類よりも細かく設定してもよいし、吐出風量も同様に、弱風、中風、強風の３分類よりも細かく設定してもよい。
【００８０】
７．アタッチメント
実施形態では、本体部１に着脱自在に装着されるアタッチメント９１が装着された状態でドライヤＡを説明したが、アタッチメント９１が装着されていない状態で使用することも可能である。
実施形態では、着脱自在なアタッチメント９１付きのドライヤＡについて説明したが、アタッチメントを装着できない構造のドライヤであってもよい。
【符号の説明】
【００８１】
Ａ    ドライヤ
１    本体部
２    送風部
３    加熱部
４    温度測定部
１１    吸気口
１２    吐出口
１３    通風流路
【図１】
2020199296.tif 000003
【図２】
2020199296.tif 000004
【図３】
2020199296.tif 000005
【図４】
2020199296.tif 000006
【図５】
2020199296.tif 000007
【図６】
2020199296.tif 000008
【図７】
2020199296.tif 000009
【図８】
2020199296.tif 000010
【図９】
2020199296.tif 000011
【図１０】
2020199296.tif 000012
【図１１】
2020199296.tif 000013
【図１２】
2020199296.tif 000014
【図１３】
2020199296.tif 000015
【図１４】
2020199296.tif 000016
【図１５】
2020199296.tif 000017
【図１６】
2020199296.tif 000018